(57)【特許請求の範囲】
【請求項１】
表示面が直接観察者を向く正面位置とハーフミラーを介して観察者を向くミラー側位置とに配置される表示部を含んで構成されるプロンプターのリモコン装置であって、
光信号を出力するリモコン操作部と、
上記表示部の表示面側に配置され、上記リモコン操作部からの出力光を受光する受光部と、
上記表示部の表示面が上記ミラー側位置に配置されるときは取り外し、当該表示面が正面位置に配置されるときに上記受光部の前側へ配置するように構成し、上記リモコン操作部からの出力光をハーフミラーを使用したときの光信号の強度低下及び周波数シフトと同等の光へ変換するためのフィルタと、を設けたことを特徴とするプロンプターのリモコン装置。
【請求項２】
上記表示部の前面側に着脱自在にフードを取り付け、このフードに上記フィルタを配置したことを特徴とする上記第１請求項記載のプロンプターのリモコン装置。
【発明の詳細な説明】
【０００１】
【発明の属する技術分野】
本発明は、ニュースキャスター等が読む原稿を表示するプロンプターの表示操作をするためのリモコン装置の構成に関する。
【０００２】
【従来の技術】
プロンプター装置は、テレビカメラの近傍に配置された状態で、ニュースキャスター等に必要となる原稿を表示するものであり、この種のプロンプターとして、表示部を直接的に見る使い方と、ハーフミラーを介して表示内容を見る使い方の両方が可能となるものがある。
【０００３】
図４には、このようなプロンプター装置の表示器が示されており、図示の表示器１は支持部材２によりテレビカメラ等に固定される。この表示器１の正面に、原稿等を表示する液晶パネル（ＬＣＤ）３が設けられ、この前面の上側に、リモコン装置の正面位置用の受光部４が配置され、また上面にハーフミラー用の受光部５が配置される。一方、リモコン操作部６には赤外光等の光信号を発光する発光部７が設けられており、この発光部７から出力された光信号は上記受光部４又は５で受光される。
【０００４】
図５には、上記プロンプター表示器１の二通りの使用状態が示されており、図（Ａ）は正面位置を配置した状態、図（Ｂ）はハーフミラーを使用した（ミラー位置）状態である。図（Ａ）の正面位置使用状態では、図示されるように、テレビカメラのレンズ部８の上側に表示器１を配置しており、リモコン操作部６からの光信号は矢示１０１のように前面の受光部４で受光される。
【０００５】
また、図（Ｂ）のミラー位置使用状態では、ハーフミラー９がレンズ部８の前側へ配置される状態で表示器１等に取り付けられており、この場合は、光信号は矢示１０１のように上面の受光部５で受光される。このようにして、リモコン操作部６の操作によれば、原稿の表示制御、例えば頁めくり、上下或いは左右スクロール等を行うことができる。
【０００６】
【発明が解決しようとする課題】
しかしながら、上記従来のプロンプターのリモコン装置では、図５（Ｂ）に示されるように、リモコン操作部６からの光信号は矢示１０２のように、ハーフミラー９で反射して前面側の受光部４でも受光されることにより、誤動作を起こすという問題があった。即ち、赤外光等の光信号はハーフミラー９で反射されるとき、その強度が低下すると共に、信号周波数が低い方にシフトしてしまい、制御情報が表示器１へ正確に伝わらないという不都合がある。
【０００７】
図５のように、２個の受光部４，５を設けたのも、本来は上記のような強度低下や周波数シフトによる誤動作を避けることを目的としたものであるが、２個の受光部４，５を設けても、直接的に受光される光信号の他に、ハーフミラー９から反射される光信号が混入することにより、動作不良を起こすことがあった。
【０００８】
しかも、上記のように、２個の受光部４，５を表示器１へ配置することから、構造的にも無駄があり、製造コストを低減することができないという問題がある。
【０００９】
本発明は上記問題点に鑑みてなされたものであり、その目的は、光信号を２箇所で受光することによる誤動作をなくし、しかも構造が簡単となり、低コスト化が可能となるプロンプターのリモコン装置を提供することにある。
【００１０】
【課題を解決するための手段】
上記目的を達成するために、第１請求項に係る発明は、表示面が直接観察者を向く正面位置とハーフミラーを介して観察者を向くミラー側位置とに配置される表示部を含んで構成されるプロンプターのリモコン装置であって、光信号を出力するリモコン操作部と、上記表示部の表示面側に配置され、上記リモコン操作部からの出力光を受光する受光部と、上記表示部の表示面が上記ミラー側位置に配置されるときは取り外し、当該表示面が正面位置に配置されるときに上記受光部の前側へ配置するように構成し、上記リモコン操作部からの出力光をハーフミラーを使用したときの光信号の強度低下及び周波数シフトと同等の光へ変換するためのフィルタと、を設けたことを特徴とする。
第２請求項に係る発明は、上記表示部の前面側に着脱自在にフードを取り付け、このフードに上記フィルタを配置したことを特徴とすることを特徴とする。
【００１１】
上記の構成によれば、強度低下及び周波数シフトを生じたハーフミラー反射光と同等の光に変換するＮＤフィルタ等がフードに設けられ、このフードは表示部が正面位置で使用されるときに当該表示部に取り付けられる。一方、表示部がミラー側位置で使用されるときは、フードが外され、表示部にはハーフミラーが取り付けられる。従って、表示面側に配置された一つの受光部に、ハーフミラーで反射される光信号か、又はこれと同等の光信号のみが供給されることになり、誤動作をなくすことが可能となる。
【００１２】
【発明の実施の形態】
図１乃至図３には、実施形態例に係るリモコン装置を適用したプロンプター表示器及びテレビカメラが示されている。図２及び図３に示されるように、表示器（表示部）１１は、従来と同様に支持部材１２によりテレビカメラ１３に支持固定されており、この表示器１１には、図１に示されるように、その正面に原稿等を表示する液晶パネル（ＬＣＤ）１４が設けられる。また、この液晶パネル１４の上側に、リモコン装置の赤外線受光部１５が１個のみ配置される。
【００１３】
上記表示器１１には、着脱自在となるフード１７が設けられ、例えばフード１７側の係合溝部１８Ａを表示器１１側のネジ部１８Ｂに係合してネジ締め固定する構造（各種の構造がある）により、このフード１７は表示器１１へ着脱できるようになっている。そして、このフード１７において上記受光部１５の前側の位置にＮＤ（Neutral Density Filter）フィルタ２０が取り付けられる。このＮＤフィルタ２０は、後述するハーフミラーを使用したときの光信号の強度低下及び周波数シフトと同等の光変換をすることができるフィルタである。
【００１４】
図２には、上記表示器１１を正面位置で使用する場合の状態が示されており、この場合は、図１のフード１７を取り付けた表示器１１が、図示のようにテレビカメラ１３のレンズ部２１の上側に配置される。これによれば、リモコン操作部からの光信号は、矢示１０１のようにＮＤフィルタ２０を介して受光部１５へ到達することになり、この光信号はハーフミラーを使用したときと同等の信号として受光部１５で受光されることになる。
【００１５】
図３には、上記表示器１１をハーフミラーを用いて使用する場合の状態が示されている。図３に示されるように、ハーフミラー２２は例えば支持板２３に保持され、この支持板２３を表示器１１の前面側に取り付ければ、ハーフミラー２２が液晶パネル１４に対し４５度の傾きで配置されるようになっている。なお、上記支持板２３にはハーフミラー２２の周囲を囲むように遮光体２４等が配置される。
【００１６】
上記構成によれば、表示器１１の液晶パネル１４の画像はハーフミラー２２に写し出されると共に、ハーフミラー２２を介してニュースキャスター等がテレビカメラ１３で撮像される。この配置の場合は、図２の正面位置と比較すると、ニュースキャスター等の視線をレンズ部２１の光軸に一致させることができるという利点がある。そうして、リモコン操作部からの光信号は、矢示１０２のようにハーフミラー２２で反射され、受光部１５へ到達することになり、これによって、原稿の頁めくりやスクロール等が行われる。
【００１７】
以上のように当該例では、１個の受光部１５に対し、ハーフミラー２２で反射した光信号及びＮＤフィルタ２０で変換され、ミラー反射信号と同等の光信号を供給することになる。従って、従来の図５のように、２個の受光部（４，５）に対し、リモコン操作部から直接の光信号とミラー反射信号の両者を与えることにより生じていた誤動作をなくすことが可能となる。
【００１８】
上記実施形態例では、ハーフミラー２２の反射光と同等の光へ変換するフィルタとして、ＮＤフィルタ２０を用いたが、この他のフィルタでも、ハーフミラー２２により生じる強度低下及び周波数シフトを達成するものを用いることができる。また、このＮＤフィルタ２０を着脱自在となるフード１７に取り付ける例を示したが、このＮＤフィルタ２０は単独で表示器１１に着脱自在に取り付けるようにしてもよい。
【００１９】
【発明の効果】
以上説明したように、第１請求項に係る発明によれば、リモコン装置の受光部を表示部の表示面側に１つだけ配置すると共に、光信号をハーフミラーの反射光と同等の光へ変換するためのフィルタを設け、このフィルタは上記表示部がハーフミラーを用いる場合は配置せず、表示部が正面位置で使用されるときに、受光部の前側へ配置するようにしたので、光信号を２箇所で受光することによる誤動作をなくすことができ、しかも構造が簡単となり、装置の低コスト化が可能となる。
【００２０】
第２請求項に係る発明によれば、上記表示部の前面側に着脱自在にフードを取り付け、このフードに上記フィルタを配置したので、フードを取り付けるだけでフィルタが表示部の所定位置に配置され、フィルタの取付けが簡単になるという利点がある。
【図面の簡単な説明】
【図１】本発明の実施形態例に係るリモコン装置を適用したプロンプターの表示器部分の構成を示す斜視図である。
【図２】図１の表示器にフードを取り付けた正面位置使用状態の側面図である。
【図３】図１の表示器にハーフミラーを取り付けたミラー位置使用状態の側面図である。
【図４】従来のプロンプターの表示器及びリモコン装置を示す斜視図である。
【図５】図４の表示器の使用状態を示し、図（Ａ）は正面位置使用状態、図（Ｂ）はミラー位置使用状態を示す側面図である。
【符号の説明】
１，１１  …  表示器、
３，１４  …  液晶パネル、
４，５，１５  …  受光部、
６  …  リモコン操作部、
９，２２  …  ハーフミラー、
１３  …  テレビカメラ、
１７  …  フード、
２０  …  ＮＤフィルタ。
【図１】
0003749581.tif 000002
【図２】
0003749581.tif 000003
【図３】
0003749581.tif 000004
【図４】
0003749581.tif 000005
【図５】
0003749581.tif 000006